(57)【要約】【課題】複数台のリモコン雲台カメラ装置を共通の操作装置により制御を行うシステムに好適な操作装置を提供する。【解決手段】複数台のリモコン雲台１４と雲台コントローラ２０はネットワーク１２を介して接続されている。雲台コントローラ２０が有する液晶表示部２２はリモコン雲台１４の操作画面が表示され、操作画面を操作して雲台コントローラ２０とネットワーク１２に接続されるいずれかのリモコン雲台１４と通信接続を確立すると、雲台コントローラ２０は通信接続されたリモコン雲台１４に搭載されているカメラを識別し、操作画面にカメラ名とレンズ名を表示する。カメラ名やレンズ名の他にＭ．Ｄ．Ｏや焦点距離範囲などのレンズの性能の情報を表示することも可能である。通信接続先が変更されると通信接続先に対応した操作画面に変更される。【選択図】  図１
2010124074.tif 000002
【特許請求の範囲】
【請求項１】
リモコン雲台カメラ装置と通信接続可能に構成され、前記リモコン雲台カメラ装置を操作する操作装置であって、
前記リモコン雲台カメラ装置の操作画面を表示する表示手段と、
通信を確立したリモコン雲台カメラ装置に搭載されているカメラを識別するカメラ識別手段と、
前記カメラ識別手段によって識別されたカメラに対応して前記操作画面の内容を変更するように前記表示手段を制御する表示制御手段と、
を備えたことを特徴とする操作装置。
【請求項２】
請求項１に記載の操作装置において、
複数のリモコン雲台カメラ装置との通信接続を行う際に、通信接続先を切り換える通信切換手段を備えたことを特徴とする操作装置。
【請求項３】
請求項１又は２に記載の操作装置において、
前記カメラ識別手段は、前記リモコン雲台カメラ装置との通信接続が確立されると前記リモコン雲台カメラ装置から送出されるカメラ情報を取得することを特徴とする操作装置。
【請求項４】
請求項１乃至３のいずれか１項に記載の操作装置において、
前記表示制御手段は、前記カメラ識別手段によって識別されたカメラ名を含むカメラの情報を表示するように前記表示手段を制御することを特徴とする操作装置。
【請求項５】
請求項１乃至４のいずれか１項に記載の操作装置において、
前記表示制御手段は、前記カメラ識別手段によって識別されたカメラに装着されているレンズの情報を表示するように前記表示装置を制御することを特徴とする操作装置。
【請求項６】
請求項５に記載の操作装置において、
前記レンズの情報は、前記レンズの機能に沿った情報を含むことを特徴とする操作装置。
【請求項７】
請求項１乃至６のいずれか１項に記載の操作装置において、
前記表示制御手段は、前記認識手段によって認識されたカメラのそれぞれに個別の操作画面を表示するように前記表示手段を制御することを特徴とする操作装置。
【請求項８】
請求項１乃至７のいずれか１項に記載の操作装置において、
通信接続可能なリモコン雲台カメラ装置に搭載される複数のカメラに対応した操作画面が前記カメラに関連付けされて記憶される記憶手段を備え、
前記表示制御手段は、識別されたカメラに対応する操作画面を前記記憶手段から読み出して表示するように前記表示手段を制御することを特徴とする操作装置。
【発明の詳細な説明】
【技術分野】
【０００１】
本発明は操作装置に係り、特にカメラを支持するリモコン雲台カメラ装置を遠隔操作する操作技術に関する。
【背景技術】
【０００２】
従来、テレビカメラ等を搭載したリモコン雲台カメラ装置に通信回線やケーブルを介して操作装置を接続し、操作装置の操作部材を操作してリモコン雲台カメラ装置やカメラのパン／チルト、ズーム、フォーカス等をリモート制御できるリモコン雲台カメラ装置及びシステムが知られている。また、ネットワークを介して複数のリモコン雲台カメラ装置及び操作装置を接続し、リモコン雲台カメラ装置と操作装置との間の接続を切り換えながら、1台の操作装置によってネットワークに接続されるリモコン雲台カメラ装置を制御するシステムが提案されている。
【０００３】
特許文献１には、複数台のリモコン雲台と複数台の雲台コントローラがネットワークを介して接続されるリモコン雲台システムにおいて、各雲台コントローラによる操作指令を調整する制御調整器を設け、１つのリモコン雲台について同時に２つの雲台コントローラに許可信号を与えないように制御する技術が提案されている（特許文献１参照）。
【特許文献１】特開平１０−２６８４１５号公報
【発明の開示】
【発明が解決しようとする課題】
【０００４】
しかしながら、複数台のリモコン雲台カメラ装置が接続されるシステムでは、異なる機能を有する複数種類のカメラや該カメラを搭載したリモコン雲台カメラ装置が接続されることがある。機能が異なるカメラ等を共通の操作装置で制御しようとすると、操作者はどのカメラ又はリモコン雲台カメラ装置が接続されたのかを把握し、接続されたカメラやリモコン雲台カメラ装置の機能を把握する必要がある。一方、テレビカメラを識別する機能を有する装置（システム）が提案されているものの、現状では、テレビカメラの識別機能は有効に活用されていない。
【０００５】
本発明はこのような事情に鑑みてなされたもので、複数台のリモコン雲台カメラ装置を共通の操作装置により制御（操作）を行うシステムに好適な操作装置を提供することを目的とする。
【課題を解決するための手段】
【０００６】
上記目的を達成するために、本発明に係る操作装置は、リモコン雲台カメラ装置と通信接続可能に構成され、前記リモコン雲台カメラ装置を操作する操作装置であって、前記リモコン雲台カメラ装置の操作画面を表示する表示手段と、通信を確立したリモコン雲台カメラ装置に搭載されているカメラを識別するカメラ識別手段と、前記カメラ識別手段によって識別されたカメラに対応して前記操作画面の内容を変更するように前記表示手段を制御する表示制御手段と、を備えたことを特徴とする。
【発明の効果】
【０００７】
本発明によれば、通信接続されたリモコン雲台カメラ装置に搭載されるカメラを識別し、該カメラに対応する操作画面を表示を変更するように構成されるので、操作装置の操作者は表示手段の表示内容に基づき、接続されたカメラを把握することができるとともに、該カメラに適した操作を行うことができる。
【発明を実施するための最良の形態】
【０００８】
以下、添付図面に従って、本発明の好ましい実施の形態について詳説する。
【０００９】
〔リモコン雲台システムの全体構成〕
次に、本例に示すリモコン雲台システム１０に適用されるリモコン雲台（リモコン雲台カメラ装置）１４について説明する。図１は、本例に示すリモコン雲台システム１０の全体構成図である。同図に示すリモコン雲台システム１０は、ネットワーク１２を介して複数台のリモコン雲台１４と雲台コントローラ（操作装置）２０が接続され、雲台コントローラ２０は複数のリモコン雲台１４の中から１台を選択して通信接続を確立し、通信接続が確立されたリモコン雲台１４を制御することができるように構成されている。
【００１０】
本例に示すリモコン雲台システム１０は、ネットワーク１２に接続されるリモコン雲台１４と雲台コントローラ２０の通信接続が確立されると、雲台コントローラ２０は通信接続を確立したリモコン雲台１４に搭載されるテレビカメラ（不図示）を識別し、タッチパネル付き液晶表示部（以下、液晶表示部と記載する。）２２に該テレビカメラの機種名を表示するように構成されている。また、雲台コントローラ２０は該テレビカメラに装着されたレンズの機種名や性能などの光学系の情報を必要に応じて液晶表示部２２に表示させる機能を有している。
【００１１】
したがって、操作者は液晶表示部２２に表示されたこれらの情報を見て、該テレビカメラの専用ソフトウエアを立ち上げる操作や、レンズの操作項目を制限する操作などを適宜行うことが可能となる。
【００１２】
なお、ここでいう「ネットワーク」とは、所定の通信プロトコルによって双方向通信が可能な通信形態を含む概念である。ネットワークの一例として、ＬＡＮ（local aria network）やＷＡＮ（wide aria network）などが挙げられる。
【００１３】
〔リモコン雲台の説明〕
次に、図１に示すリモコン雲台１４−１〜１４−３の共通機能について説明する。以下の説明において、リモコン雲台１４−１〜１４−３は共通の符号１４を用いることとする。
【００１４】
リモコン雲台１４は、図示しないテレビカメラ（以下、単にカメラという。）を収納するハウジング４０と、ハウジング４０と共にカメラをパンニング（水平方向（パン方向）の回転動作）及びチルティング（垂直方向（チルト方向）の回転動作）させる雲台本体４１とから構成される。ハウジング４０の前面には透明の前面ガラス４２が設けられており、カメラはこの前面ガラス４２を介してハウジング４０外部の映像を撮影する。
【００１５】
ハウジング４０は雲台本体４１から延設されたチルト軸（不図示）に片持ち支持されており、このチルト軸が雲台本体４１に内蔵されたチルトモータによって回転駆動される。
【００１６】
これにより、ハウジング４０と共にハウジング４０内のカメラがチルティングする。また、雲台本体４１は図示しない据付台上に固定されたパン軸４３によって支持されており、このパン軸４３を軸に雲台本体４１が内蔵のパンモータによって回転駆動される。これにより、ハウジング４０と共にハウジング４０内のカメラがパンニングする。なお、カメラをパンニング又はチルティングさせるリモコン雲台１４の動作をリモコン雲台１４のパン／チルト動作というものとする。
【００１７】
〔雲台コントローラの説明〕
次に、図１に示す雲台コントローラ２０の構成について説明する。
【００１８】
同図に示す雲台コントローラ２０は、ネットワーク１２を介してリモコン雲台１４に接続されており、雲台コントローラ２０に設けられた操作部材の操作によりリモコン雲台１４及びリモコン雲台１４に搭載されたカメラ（カメラ本体及びレンズ）の各種制御機能に関するコマンドがリモコン雲台１４に送信されるように構成されている。
【００１９】
図２は、雲台コントローラ２０の操作面の構成を示した平面図である。同図に示すように雲台コントローラ２０の操作面には、操作棒（ジョイスティック）４４、フォーカスつまみ４５、ズームレバー４６、液晶表示部２２が配置されている。
【００２０】
ジョイスティック４４は、リモコン雲台１４をパン／チルト操作するために機械的に構成された操作部材であり、ジョイスティック４４を前後左右に傾斜させると、その傾斜方向及び傾斜量に応じた方向及び速度でリモコン雲台１４をパン／チルト動作させることができる。
【００２１】
フォーカスつまみ４５は、カメラ（レンズ）のフォーカス操作を行うために機械的に構成された操作部材であり、フォーカスつまみ４５を回動操作すると、その位置に応じたフォーカス位置にフォーカスを移動させることができる。
【００２２】
ズームレバー４６は、カメラ（レンズ）のズーム操作を行うために機械的に構成された操作部材であって、左右方向の中央にある前後方向の軸を中心に揺動するようになっている。ズームレバー４６の左右のいずれかを押すと、押した側及びその押込み量に応じた方向及び速度でズームを移動させることができる。
【００２３】
液晶表示部２２は、パン／チルト操作、フォーカシング操作及びズーム操作の制御以外のリモコン雲台１４及びカメラの制御機能に関する操作を行うための操作部であり、液晶パネルと液晶パネルの表面に設置されたタッチパネルとから構成されている。例えば、上述したリモコン雲台１４の選択を行うための選択ボタン３０やリモコン雲台一覧（図２中不図示、図１０に符号１１０を付して図示）が表示される。また、所定のバッチ処理が割り付けられたファンクションキーを液晶表示部２２に表示させるようにしてもよい。
【００２４】
図３は、雲台コントローラ２０の全体構成を示したブロック図である。同図において、図２に示したジョイスティック４４、フォーカスつまみ４５、ズームレバー４６は、操作部５２として示されており、その操作部５２での操作はＣＰＵ５０によって検出されるようになっている。ＣＰＵ５０は、通信インターフェース５４を介して操作に対応するコマンドを通じてリモコン雲台１４に送信する。これによって操作部５２の操作に従ってリモコン雲台１４及びカメラが制御される。
【００２５】
また、ＣＰＵ５０は通信インターフェース５４を通じて通信接続を確立したリモコン雲台１４及び該リモコン雲台１４に搭載されたカメラを認識する機能を有している。接続可能なリモコン雲台１４、及びリモコン雲台１４に搭載されるカメラ、該カメラに装着されるレンズ等の光学系に関する情報が予めメモリ６０に記憶されており、ＣＰＵ５０はメモリ６０から認識したリモコン雲台１４及びカメラに関する情報を読み出し、該情報を液晶パネル５６に表示する。
【００２６】
メモリ６０に記憶される情報は、カメラの機種名、レンズの機種名を含み、さらに光学系の情報としてＭＯＤ、レンズの焦点距離、エクステンダーの有無、アイリス値などを含んでいてもよい。
【００２７】
図１及び図２に示したタッチパネル付き液晶表示部２２は、図３において液晶パネル５６とタッチパネル５８として示されており、液晶パネル５６には操作画面がＣＰＵ５０からの駆動信号によって図示しないドライバを介して表示されるようになっている。また、液晶表示部２２の画面をタッチするとタッチパネル５８によりタッチされた位置を示す信号が図示しないドライバを介してＣＰＵ５０に与えられるようになっている。ＣＰＵ５０は、液晶パネル５６に表示している現在の操作画面上においてどのスイッチがタッチされたかをタッチパネル５８からの信号により検出し、いずれかのスイッチがタッチされたと判断した場合にはそれに対応する処理を実行する。例えば、通信インターフェース５４を通じてカメラの制御機能に関するスイッチがタッチされた場合にそれに対応するコマンドをリモコン雲台１４に送信する処理、操作画面上のスイッチがタッチされてオンからオフ又はオフからオンに切り替わる場合にスイッチの明るさを変更する処理等を行う。
【００２８】
メモリ６０は、上述したリモコン雲台一覧（図１０参照）などの情報が記憶される記憶手段であり、ＣＰＵ５０によってデータの書き込み及び読み出しの制御が行われる。また、メモリ６０には液晶表示部２２の画面レイアウトなどの情報や、上述したカメラ、レンズ等の情報、カメラの特別な機能や操作のための専用のソフトウエア（プログラム）が記憶される。
【００２９】
上記実施の形態では、機械的に構成される操作部材はジョイスティック４４、フォーカスつまみ４５、ズームレバー４６としたが、これに限らない。例えば、連続的な値を調整する操作によって制御される機能に関しては液晶表示部２２の画面上で例えばアップ／ダウンスイッチをタッチ操作して調整するよりも、つまみ等の機械的に構成された操作部材を用いて操作した方が操作しやすくなるため、そのような機能については機械的に構成される操作部材で操作できるようにしてもよい。
【００３０】
なお、図３には雲台コントローラ２０に通信インターフェース５４を内蔵する態様を例示したが、雲台コントローラ２０とネットワーク１２との間に通信装置を備え、該通信装置とのインターフェースを雲台コントローラ２０に備える態様も可能である。
【００３１】
〔操作画面の説明〕
次に、図２に示す液晶表示部２２（図４の液晶パネル５６）に表示される操作画面について詳細に説明する。
【００３２】
図４は、液晶表示部２２に表示される操作画面６１の構成例を示す図である。同図に示す操作画面６１の上端部には、ネットワーク１２（図１参照）に接続されるリモコン雲台１４を選択するための８個の選択ボタン３０（３０−１〜３０−８）が表示される選択ボタン領域６２が設けられている。８個の選択ボタン３０−１〜３０−８はネットワーク１２とリモコン雲台１４との間に設けられるモデム（不図示）に対応している。図４に示す例は、最大８台のモデムがネットワーク１２に接続可能な例であり、８個の選択ボタンのそれぞれに対して８個のモデムが割り付けられている例である。
【００３３】
なお、図４には複数台のモデム（通信装置）を介して複数台の雲台コントローラ２０がネットワーク１２に接続されるマルチ通信システムを構築することを想定したものであり、選択ボタン３０の数はモデムの数に応じて適宜追加又は削除することができる。また、対応するモデムが存在しない選択ボタン３０があってもよい。例えば、図１に示すシステム構成では、図２に図示した通信インターフェース５４がここでいうモデムに対応し、図４の操作画面６１の選択ボタン３０は１つ設けられていればよい。
【００３４】
選択ボタン３０は、通信接続が確立されたリモコン雲台１４の識別情報を表示することができる。図１に示す操作画面６１において、選択ボタン３０−１の「ａａａ」という表示は識別情報「ａａａ」を持つリモコン雲台１４との通信接続が選択ボタン３０−１に割り付けられたモデムを介して確立されていることを意味している。ここで、識別情報とはリモコン雲台の固有名称を含む概念であり、例えば、リモコン雲台１４の設置場所や電話番号、ＩＰアドレスなどが挙げられる。また、設置場所の具体例としては、「東京タワー」、「ベイブリッジ」、「新宿御苑」などのランドマーク名や、「東京都新宿区□□１−２−３」などの住所、「新宿」などの地名が挙げられる。
【００３５】
同様に、選択ボタン３０−２の「ｂｂｂ」という表示は、選択ボタン３０−２に割り付けられたモデムを介して識別情報「ｂｂｂ」を持つリモコン雲台１４との通信接続が確立されていることを表し、選択ボタン３０−３の「ｃｃｃ」という表示は、選択ボタン３０−３に割り付けられたモデムを介して識別情報「ｃｃｃ」を持つリモコン雲台１４との通信接続が確立されていることを意味する。一方、選択ボタン３０−４〜８の「‐」という表示は、選択ボタン３０−４〜８のそれぞれに割り付けられたモデムが未使用の状態を意味している。
【００３６】
選択ボタン領域６２の下段にはリモコン雲台の状態を表示するリモコン雲台状態表示部６４が設けられている。図４には、リモコン雲台の状態として、カメラを挿脱するためのハウジングドアの開閉情報（ＤＯＯＲ  ＡＬＡＲＭ）、ハウジング内の温度情報（ＴＥＭＰ  ＡＬＡＲＭ）、パン／チルトの情報（ＰＡＭ／ＴＩＬＴ  ＡＬＡＲＭ）、ハウジングの窓（窓ガラス）の霜等を除去するデフロスタ（ＤＥＦＲＯＳＴＥＲ）や、ハウジング内の温度を調整するヒーター（ＨＥＡＴＥＲ）又はフアン（ＦＡＮ）等の動作状況を示す情報、撮影中であるか否か（ＯＮ  ＡＩＲ）などを表示する態様を例示した。
【００３７】
さらに、リモコン雲台状態表示部６４の下段には、多数の操作ボタン６６と、操作ボタン６６に対応して当該操作ボタン６６のオンオフや選択状態を表示するボタン表示部６８と、カメラ情報７０が表示されるカメラ情報表示部と、を含む操作ボタン領域７２が設けられている。操作ボタン領域７２は階層構造を有しており、タブ７４を押すことでタブ７４に対応する階層を表示するように構成されている。図４には操作ボタン領域７２について７種類の階層を有する態様を示し、カメラの制御に関連する操作ボタン６６の一群が表示されるカメラコントロールタブ（階層）を開いた状態を図示する。
【００３８】
操作ボタン６６は文字情報により割り付けられた機能が表示されるとともに、操作ボタン６６の上側に設けられたボタン表示部６８は対応するボタンの状態が表示される。例えば、上段左端の操作ボタン６６は電源のオンオフ機能を有するボタンであり、その機能を意味する「ＰＯＷＥＲ」の文字が表示され、当該操作ボタン６６に対応するボタン表示部６８に電源のオンオフ状態（図４ではオン状態）が表示される。
【００３９】
なお、図４は操作ボタン領域７２（CAMERA CLTタブ）に表示可能な操作ボタン６６及びボタン表示部６８をすべて表示したが、これらの操作ボタン６６の中から必要なボタンのみを選択的に表示してもよい。
【００４０】
カメラ情報表示部に表示されるカメラ情報７０は、通信接続を確立しているカメラの名称、型式等の情報が表示される。図４には、カメラの型式（ＡＢ−Ｃ１０００）及びレンズ型式（ＨＢ１４×６．３ＢＥＲ）を表示する態様を例示した。上述したように、カメラ情報７０にレンズの仕様などの光学系の情報を表示してもよい。図５には、カメラの型式及びレンズの型式に加えて、Ｍ．Ｏ．Ｄ（０．４ｍｍ）、焦点距離範囲（４．６−６０ｍｍ）、エクステンダーの有無（なし）が表示される態様を示す。
【００４１】
カメラ情報７０は、少なくとも操作者がその情報を確認したいときに表示されればよい。また、図４に図示したカメラの型式及びレンズの型式のみのカメラ情報７０と、図５に示すＭ．Ｏ．Ｄ等を含むカメラ情報７０’と、を切り換え表示してもよい。例えば、通常は図４のカメラ情報７０が表示され、操作者がボタン操作等を行うと図５のカメラ情報７０’に切り換わり、同じ操作を再度行うと図４のカメラ情報に戻るように構成してもよい。
【００４２】
図４の操作ボタン領域７２の下段には、カメラの設定が表示されるカメラ設定表示部７６が設けられている。図４にはカメラの設定として、ショットタイム、ＲＧＢゲイン、ペデスタル、絞りの設定を表示する態様を例示した。このような操作画面６１のレイアウトは図３のメモリ６０に記憶される。なお、図４に示す操作画面６１のレイアウトはあくまでも一例であり、適宜変更、追加、削除が可能である。
【００４３】
本例に示す雲台コントローラ２０は、通信接続が確立されたリモコン雲台１４に搭載されるカメラに応じて操作画面のレイアウトが変更されるように構成されている。すなわち、図３のメモリ６０はネットワーク１２（図１参照）に接続されるリモコン雲台１４に搭載されるカメラの操作画面のレイアウトがカメラごとに記憶されており、雲台コントローラ２０とリモコン雲台１４との通信接続が確立されると、図３のＣＰＵ５０が有するカメラ認識機能によってカメラが認識され、当該カメラに対応する操作画面のレイアウトが読み出されて液晶表示部２２に表示される。
【００４４】
図６は、識別情報「ａａａ」を有するリモコン雲台１４に搭載されるカメラに対応する操作画面を示す図である。同図に示す操作画面８０は、通信接続を確立したリモコン雲台に応じてカメラコントロールタブ内の操作ボタン６６のレイアウトが変更されるように構成されている。操作画面８０の画面レイアウトはリモコン雲台１４と関連付けされて図３のメモリ６０に記憶されている。
【００４５】
図６に図示したカメラ情報７０には、リモコン雲台１４に搭載されているカメラの型式（ＲＥ−７５５）及びレンズ型式（ＣＲ１４×１．２Ｂ）が表示され、該リモコン雲台１４に搭載されるカメラの制御に必要な操作ボタン６６が６つ表示され、かつ、該６つの操作ボタン６６のそれぞれに対応するボタン表示部６８が表示される。図６には、カメラ電源（ＰＯＷＥＲ）、カメラ及びカラーバーの切換（ＣＡＭ／ＢＡＲ）、オートホワイトバランス（ＡＷＢ）、オートブラックバランス（ＡＢＢ）、ゲイン（ＧＡＩＮ）、シャッターのオンオフ（ＳＨＵＴＴＥＲ）の機能が割り付けられたボタンが表示される態様を示す。また、選択ボタン３０−１のハイライト表示がオンになる。
【００４６】
図７は、識別情報「ｂｂｂ」を有するリモコン雲台１４用の操作画面８２を図示したものである。通信接続先が「ｂｂｂ」のリモコン雲台１４に切り換えられると、メモリ６０（図３参照）から該リモコン雲台１４に対応する操作画面８２のレイアウトが読み出され、液晶表示部２２の画面表示が自動的に変更される。図７に示す操作画面８２は、リモコン雲台１４に搭載されているカメラに対応して、カメラ情報７０が変更されるとともにカメラコントロールタブ内の操作ボタン６６が４つ追加される。また、カメラ設定表示部７６の中央部のフレーム（図６においてゲイン設定が表示された部分）が枠のみの表示に変更される。さらに、選択ボタン３０−１のハイライト表示がオフになるとともに選択ボタン３０−２のハイライト表示がオンになる。
【００４７】
図８は、識別情報「ｃｃｃ」を有するリモコン雲台１４用の操作画面８４を図示したものである。通信接続先が「ｃｃｃ」のリモコン雲台１４に切り換えられると、メモリ６０（図３参照）からリモコン雲台１４に対応する操作画面８４のレイアウトが読み出され、液晶表示部２２の画面表示が自動的に変更される。図８に示す操作画面８４では、リモコン雲台１４に搭載されているカメラに対応して、カメラ情報７０が変更されるとともに図１４に示す操作画面８２に対してカメラコントロールタブ内の操作ボタン６６が４つ追加される。また、カメラ設定表示部７６の中央部のフレーム（図６においてゲイン設定が表示された部分）がペイント設定の表示に変更される。さらに、選択ボタン３０−２のハイライト表示がオフになるとともに選択ボタン３０−３のハイライト表示がオンになる。
【００４８】
上記の如く構成された雲台コントローラ２０によれば、操作（制御）を行うカメラに対応した専用の操作画面を表示する機能を有し、カメラの接続切換操作（リモコン雲台１４との通信接続切換操作）に応じて、操作画面が自動的に切り換えられるように構成されているので、操作者は操作画面に表示されたカメラ情報７０を基にカメラに応じた的確な操作を行うことができ、また、レンズの操作に関してもレンズの機種を認識することによって倍率や明るさ、防振機能などの有無に応じた的確な操作を行うことができる。たとえば、カメラ情報７０を確認した後にそのカメラ専用の操作ソフトウエア立ち上げることや、レンズの機能の操作項目を制限することができる。
【００４９】
なお、本例ではタッチパネル付きの液晶表示部２２に操作画面を表示する態様を示したが、メカニカルボタン上の取り付けられた液晶表示装置や有機ＥＬ表示装置の表示切換にも適用可能である。かかる構成では、機能が割り付けられていないボタンにはその旨の表示（例えば「‐」）がされるように構成される。
【００５０】
〔応用例１〕
次に、図１に示すリモコン雲台システム１０をマルチ通信システムに適用した例について説明する。
【００５１】
図９は、本応用例に係るリモコン雲台システム１００の概略構成を示すブロック図である。なお、図９中図１と同一又は類似する部分には同一の符号を付し、その説明は省略する。
【００５２】
同図に示すリモコン雲台システム１００は、ネットワーク１０２に接続される２５６台のリモコン雲台１４−１〜１４−２５６と、前記ネットワーク１０２に接続される８台のモデム１０６−１〜１０６−８と、ＬＡＮ（Local Area Network）１０８を介してモデム（通信装置）１０６と接続される複数台（図９では３台）の雲台コントローラ（２０−１〜２０−３と、を含んで構成されている。
【００５３】
ネットワーク１０２は電話回線網やインターネットなどの大規模な公衆回線網が適用され。ＬＡＮ１０８は構内通信網や小規模通信網といった小規模なエリアを対象とする通信形態が適用される。また、ネットワーク１０２及びＬＡＮ１０８の通信形態は有線、無線を問わない。かかる点は図１のリモコン雲台システム１０と共通している。
【００５４】
先に説明したように、各リモコン雲台１４は識別情報（ネットワーク１０２上における接続情報）が付与されている。リモコン雲台１４の識別情報はネットワーク１０２の種類に応じて電話番号やＩＰアドレス（ＵＲＬ）が適用される。図９にはリモコン雲台１４の接続情報として電話番号（１０桁の数字列）とランドマーク名を例示した。
【００５５】
雲台コントローラ２０にはネットワーク１０２に接続されるリモコン雲台１４が予め登録されており、雲台コントローラ２０に設けられたタッチパネル付き液晶表示部２２にリモコン雲台１４の一覧が表示される。雲台コントローラ２０の操作者は、タッチパネル付き液晶表示部２２上で通信を行うリモコン雲台１４の選択操作ができるように構成されている。
【００５６】
雲台コントローラ２０に登録されるリモコン雲台１４の情報には、リモコン雲台１４の電話番号（ＩＰアドレス）、及び各リモコン雲台１４が設置される設置先の名称（図９においてアルファベット３文字で表した文字列）が含まれる。
【００５７】
このように１台乃至は２台以上の雲台コントローラ２０がＬＡＮ１０８などのマルチ通信システムによって接続された操作システムと、複数台用意されているリモコン雲台１４と、を公衆回線網やインターネット等のネットワーク１０２を用いて通信接続の確立及び切断を行えるシステムを構築した場合、操作者は意図するリモコン雲台１４に対して通信接続を試み、通信接続を確立できた場合にはそのリモコン雲台１４に搭載されたテレビカメラ（不図示）を操作して所望の撮影が行われる。
【００５８】
図９に示すリモコン雲台システム１００は、１台の雲台コントローラ２０と通信接続可能なリモコン雲台１４が複数存在し、雲台コントローラ２０の液晶表示部２２に表示される一覧の中から通信接続を試みるリモコン雲台１４を選択し、選択されたリモコン雲台１４について通信接続の確立を試みるように構成されている。一覧に表示するリモコン雲台１４は、予め登録された通信接続先として各雲台コントローラ２０に記憶しておき、登録されたリモコン雲台１４の中から選択するものとして選択ミスを極力低くする配慮をしたものである。かかる事情を考慮して、電話番号などの接続情報とともに固有名称（設置先の地名、建物名など設置先を表す情報）を登録可能としておく。図９に示すように、雲台コントローラ２０の液晶表示部２２に各リモコン雲台１４の接続情報と固有名称を表示することによって、選択ミスの低減化を実現している。
【００５９】
各雲台コントローラ２０に登録されるリモコン雲台１４の登録情報は、ＬＡＮ１０８に接続されるすべての雲台コントローラ２０における共有の情報として管理される。すなわち、ＬＡＮ１０８に接続されるすべて雲台コントローラ２０がリモコン雲台１４の登録情報を共有し、かつ、それぞれの雲台コントローラ２０に登録情報を記憶しておくことでは、ＬＡＮ１０８に接続されるすべての雲台コントローラ２０において共通の通信接続先の選択操作が可能となる。
【００６０】
リモコン雲台１４の登録は、雲台コントローラ２０のタッチパネルやソフトウエアキーボード、外部接続されるキーボード等のユーザインターフェースを用いて入力する形式でもよいし、外部入力端子を介して電子ファイル形式で作成された一覧表のファイルを読み込む方式でもよい。また、一つの雲台コントローラ２０に記憶された情報（ファイル）を他の雲台コントローラ２０に複写するように構成と、複数の雲台コントローラ２０の間でファイルを共有することができ好ましい。
【００６１】
なお、上述したリモコン雲台１４の登録方法は、図１に示すリモコン雲台システム１０にもそのまま適用可能である。また、新しいリモコン雲台やカメラの情報を追加する必要が生じた場合には、上述した登録方法によって記憶内容を適宜更新可能である。
【００６２】
図１０（ａ）〜（ｃ）は、液晶表示部２２の表示例を示す図であり、図４，６〜８に図示した操作画面の一部のみを図示するものである。図１０（ａ）は、リモコン雲台１４が選択されていない状態の液晶表示部２２を図示している。同図に示すように、操作者が選択ボタン３０−１を押すと選択ボタン３０−１に対応するモデム１０６が選択される。
【００６３】
図１０（ｂ）は、選択されたモデム１０６を介して通信接続可能なリモコン雲台１４（図９参照）の一覧１１０がポップアップメニュー形式で表示されている状態を示す。同図に示すリモコン雲台一覧１１０は、各リモコン雲台１４を固有名称により表示している。操作者はリモコン雲台一覧１１０の中から所望のリモコン雲台１４を選択することで、当該雲台コントローラ２０は選択されたリモコン雲台１４との通信接続の確立を試みる。すなわち、操作者が選択ボタン３０を長押すると、押されている選択ボタン３０の下にポップアップメニューが表示される。さらに、ポップアップメニューの中の所望の通信接続先が表示されているボタンを押すと通信接続先が選択される。
【００６４】
図１０（ｂ）には、ポップアップメニュー形式によりリモコン雲台一覧１１０を表示する態様を例示したが、選択ボタン３０を長押しするとリモコン雲台の選択専用画面に切り替わる態様など、他の表示方式を適用してもよい。
【００６５】
図１０（ｃ）は、通信接続先が選択された後の状態を示している。図１０（ａ）の操作及び図１０（ｂ）の操作によって通信接続先が選択されると、選択ボタン３０の表示が「−」から通信接続先の固有名称に表示に切り換わる。
【００６６】
同図には、通信接続先として「ｂｂｂ」が選択された状態が図示されている。このようにして、通信接続先が選択されると選択ボタン３０に通信接続先の固有名称が表示されるので、どのリモコン雲台１４との通信接続を確立しているかを一目で確認することができる。
【００６７】
本例に示すリモコン雲台システム１００は、ＬＡＮ１０８に接続される複数の雲台コントローラ２０の間において、リモコン雲台１４との通信接続状態の情報を共有するように構成されている。例えば、図９の雲台コントローラ２０−１がネットワーク１０２に接続されるリモコン雲台１４−１〜２５６の中の一つと通信接続を確立すると、他の雲台コントローラ２０−２〜２０−３の液晶表示部２２にもその情報が表示される。
【００６８】
図１１（ａ）〜（ｃ）は、複数の雲台コントローラ２０の間における表示の関係を説明する図である。例えば、図１１（ａ）は図９の雲台コントローラ２０−１の液晶表示部２２を図示し、図１１（ｂ）及び図１１（ｃ）はそれぞれ雲台コントローラ２０−２、２０−３の液晶表示部２２を図示している。
【００６９】
すなわち、図１１（ａ）に示すように、雲台コントローラ２０−１において識別情報「ａａａ」のリモコン雲台１４との通信接続を確立すると、雲台コントローラ２０−１の液晶表示部２２の選択ボタン３０−１に通信接続先の識別情報「ａａａ」が表示されるとともに、図１１（ｂ）に示す雲台コントローラ２０−２の液晶表示部２２の選択ボタン３０−１と、図１１（Ｃ）に示す雲台コントローラ２０−３の液晶表示部２２の選択ボタン３０−１にも「ａａａ」が表示される。
【００７０】
すなわち、本例に示すリモコン雲台システム１００は、図９に示すモデム１０６−１を介して、ＬＡＮ１０８に接続される雲台コントローラ２０−１〜２０−３と識別情報「ａａａ」のリモコン雲台１４−１との通信接続が確立されたことが、ＬＡＮ１０８に接続されるすべての雲台コントローラ２０−１〜２０−３に表示されるように構成されている。また、当該通信接続の切断が行われたときにもＬＡＮ１０８に接続されるすべての雲台コントローラ２０−１〜２０−３にその旨の表示がなされる。かかる構成によれば、いずれのモデム１０６を用いていずれのリモコン雲台１４との通信接続が確立されているかをＬＡＮ１０８に接続されるすべての雲台コントローラ２０−１〜２０−３の操作者が一目で判断できる。
【００７１】
また、図１２（ａ）〜（ｃ）に示すように、例えば、図１２（ｂ）に示す雲台コントローラ２０−２によって識別情報「ａａａ」のリモコン雲台１４−１（図９参照）を動作させる操作がなされている場合には、雲台コントローラ２０−２の選択ボタン３０−１の背景色を変更するとともに、他の操作装置（図１２（ａ）に示す雲台コントローラ２０−１及び図１２（ｃ）に示す雲台コントローラ２０−３）の液晶表示部２２に表示される選択ボタン３０−１の背景色を変更して、他の雲台コントローラ２０におけるリモコン雲台１４−１は操作禁止である旨を表示するように構成されている。
【００７２】
なお、図１２（ａ）〜（ｃ）には、選択ボタン３０−１の背景色を切り換えることで、操作可能及び操作禁止の状態を表示する態様を例示したが、文字情報や他の表示方法を用いることも可能である。
【００７３】
図１３（ａ）〜（ｃ）は、図１３（ｃ）に示す雲台コントローラ２０−３によってリモコン雲台１４−１との通信接続が切断された場合の雲台コントローラ２０−１〜２０−３の表示を図示した図である。通信接続確立、操作可能及び操作禁止を表示する場合と同様に、雲台コントローラ２０−１〜２０−３の液晶表示部２２には共通の表示がなされる。具体的には、選択ボタン３０−１の表示が通信接続先「ａａａ」から通信接続を確立していないことを意味する「‐」に切り換えられる。
【００７４】
本応用例に係るリモコン雲台システム１００によれば、予め登録されたリモコン雲台１４の固有名称（設置場所の名称）や電話番号などの識別情報が雲台コントローラ２０の液晶表示部２２に一覧形式で表示されるので、液晶表示部２２に表示されたリモコン雲台一覧１１０の中から所望のリモコン雲台１４を選択することができる。また、複数の雲台コントローラ２０が接続されるマルチ通信システムでは、雲台コントローラ２０の間で通信状態や操作状態の情報を共有し、他の雲台コントローラ２０の表示装置にも同じ表示がされるので、当該リモコン雲台システムの運用が容易となる。
【００７５】
〔応用例２〕
次に、本発明の他の応用例２について説明する。
【００７６】
上述したタッチパネル付き液晶表示部２２の操作画面にオプションボタンが設けられている場合がある。このようなオプションボタンは、図１４に示すようにＡＵＸｌ、ＡＵＸ２、ＡＵＸ３、ＡＵＸ４のような機能名称が表示されている。しかし、この機能名称はすべてのリモコン雲台について有効なものとは限らず、操作者は通信接続しているリモコン雲台の機能を熟知した上での操作が必要となる。
【００７７】
図１４は、オプションボタン２００〜２０６及びオプションボタン２００〜２０６のそれぞれに対応するスイッチ表示部２１０〜２１６が設けられた操作画面２２０を示す図である。同図に示すように、オプションボタン２００〜２０６にはＡＵＸｌ〜ＡＵＸ４という機能名称が表示されている。なお、この操作画面２２０は図４のＥＳＣ  ＣＴＬなどのタブに割り付けられている。
【００７８】
本応用例に係る操作画面２２０は、初期状態（すべてのリモコン雲台１４が通信接続を確立していない状態）におけるＡＵＸｌ〜ＡＵＸ４という表示に代わり、一目で機能の内容を把握することがきる機能名称に変更され、かつ、機能が割り当てられていないボタンはその旨３が把握できる表示に変更されるように表示制御がなされる。
【００７９】
すなわち、予め図３に示すメモリ６０などの所定の記憶手段に、通信接続先の情報（電話番号、名称）とオプションボタンの機能表示を関連付けして記憶しておき、雲台コントローラ２０とリモコン雲台１４との通信接続が確立されると、該記憶手段から通信接続先（通信接続を確立したリモコン雲台１４）のオプションボタンの情報が読み出される。
【００８０】
図１５は、通信接続先とオプションボタンの表示との関係を示す図である。同図に示すように、識別情報「ａａａ」のリモコン雲台１４−１（図９参照）との通信接続を確立すると、図１４のオプションボタン２００（ＡＵＸ１）は後付けのオプションフィルタ機能、オプションボタン２０２（ＡＵＸ２）は受信用ＦＰＵのパワーオンオフ機能、オプションボタン２０４（ＡＵＸ３）は送信用ＦＰＵのパワーオンオフ機能が割り付けられオプションボタン２０６（ＡＵＸ４）は機能の割り付けなしとなる。
【００８１】
また、図１４のオプションボタン２００〜２０６の表示はそれぞれ「ＦＩＬＴＥＲ」、「ＲＸ  ＦＰＵ  ＰＷ」、「ＴＸ  ＦＰＵ  ＰＷ」、「‐」と変更される。
【００８２】
また、識別情報「ｂｂｂ」のリモコン雲台１４−２（図９参照）との通信接続を確立すると、図１４のオプションボタン２００はＩＰデコーダ装置のパワーオンオフ機能が割り付けられ、オプションボタン２０２〜２０６は機能の割り付けなしとなり、オプションボタン２００の表示は「ＤＥＣＯＤＥＲ」に変更され、オプションボタン２０２〜２０６の表示は「‐」に変更される。識別情報「ｃｃｃ」のリモコン雲台１４−３との通信接続を確立すると、図１４のオプションボタン２００〜２０６は機能割り付けなしとなり、表示は「‐」に変更される。
【００８３】
図１５に示すリモコン雲台１４とオプション機能及び機能表示との関係を雲台コントローラ２０に記憶するには、リモコン雲台１４の登録と同様の方法を適用することができる。例えば、雲台コントローラ２０のタッチパネル（ソフトウエアキーボード）や外部接続されるキーボード等のユーザインターフェースを用いて入力する形式でもよいし、外部入力端子を介して電子ファイル形式で作成された一覧表のファイルを読み込む方式でもよい。
【００８４】
図１６は、識別情報「ａａａ」のリモコン雲台１４−１に接続された場合の操作画面２２０を示す図である。同図に示すように、オプションボタン２００は後付けのオプションフィルタ機能が割り付けられるとともに、機能名称を表す「ＦＩＬＴＥＲ」という表示に変更される。また、オプションボタン２０２は受信用ＦＰＵのパワーオンオフ機能が割り付けられるとともに、機能名称を表す「ＲＸ  ＦＰＵ  ＰＷ」という表示に変更され、ボタン２０４は送信用ＦＰＵのパワーオンオフ機能が割り付けられるとともに、機能名称を表す「ＴＸ  ＦＰＵ  ＰＷ」という表示に変更される。
【００８５】
かかる応用例２によれば、一目で見てわかりやすい機能名称をオプションボタンに表示することで、操作者が接続先ごとにオプションボタンの機能を覚える必要がなく、各ボタンの機能を覚えていなくても機能を把握することができ、誤操作を未然に防ぐことが可能となる。なお、本応用例では、タッチパネル方式のボタンについて説明したが、機械式ボタンの名称を表示する表示装置における表示制御にも適用可能である。
【００８６】
〔応用例３〕
次に、本発明の応用例３について説明する。
【００８７】
図１７（ａ），（ｂ）は、本応用例に係る操作画面３００を示す図であり、図４等に図示した操作画面の一部を拡大したものである。
【００８８】
図１７（ａ）に示す操作画面３００は、オートホワイトバランス機能（ＡＷＢ）、オートブラックバランス機能（ＡＢＢ）、ショット機能（ＳＨＯＴ）、及びゲイン機能（ＧＡＩＮ）に対応するボタン３０２〜３０８を有している。この中でオートホワイトバランス機能とオートブラックバランス機能の実行中には、他のすべての操作を禁止する必要がある。したがって、オートホワイトバランスボタン３０２（又は、オートブラックバランスボタン３０４）が押されると、図１７（ｂ）に示すように操作画面３００の全体の明るさを操作画面３００が視認できる範囲内で半減又はそれ以下に制限し、操作者が他の操作禁止中である旨を一目で把握できるようにした。
【００８９】
すなわち、オートホワイトバランス実行中又はオートブラックバランス実行中は、ボタン３０２〜３０８及びボタン表示部３１２〜３１８を含む操作画面３００の全体の輝度を低下させ（又は、操作画面３００の全体にフィルタ処理を施し）操作者の視覚によってボタン操作禁止中であることを把握できるように構成されている。
【００９０】
図１８（ａ）に示す操作画面３２０は、図１７（ａ）、（ｂ）に対してメニューボタン３２２と当該メニュー処理中に使用する機能ボタン３２４〜３２８、及びメニューボタン３２２に対応するボタン表示部３３０を追加した例である。
【００９１】
同図に示すメニューボタン３２２を押すと、ボタン表示部３３０の表示がオフからオンに代わり、メニューボタン３２２及び機能ボタン３２４〜３２８、ボタン表示部３３０のみを通常の明るさで表示し、他の部分の明るさは通常より半減又はそれ以下に制限している。例えば、カメラの基本設定を行うメニュー操作など特別な機能を選択したときは、その機能に付随する機能が割り付けられたボタンのみを明るく表示し、それ以外の他のボタンは明るさを制限することで、操作者に対して他の操作の禁止中であることを報知している。図１８（ｂ）に、メニューボタン３２２が押された後の操作画面３２０の表示状態を図示する。
【００９２】
かかる応用例３によれば、操作者は的確な操作と状態を把握することができ、無駄な操作が行われることを回避するとともに、操作が容易な操作装置を提供することができる。
【００９３】
なお、先に説明した応用例２と同様に、本応用例は機械式ボタンの名称を表示する表示装置における表示制御にも適用可能である。
【００９４】
〔応用例４〕
次に、本発明の応用例４について説明する。
【００９５】
図１９は、本応用例に係るリモコン雲台システム４００の概略構成を示す。なお、図１９中、先に説明した図と同一又は類似する部分には同一の符号を付し、その説明は省略する。
【００９６】
同図に示すリモコン雲台１４は、システムコントローラ４０２から電源の供給を受けて動作し、システムコントローラ４０２は雲台コントローラ２０から送出される指令信号に基づいて、リモコン雲台１４の電源のオンオフを行うように構成されている。
【００９７】
すなわち、図２０に示すように、雲台コントローラ２０の液晶表示部２２には、システムコントローラ４０２（図１９参照）からリモコン雲台１４へ供給される電源のオンオフボタン４１０及びボタン４１０の状態を表示するボタン表示部４１２が設けられている。なお、図２０には、ＥＳＣ  ＣＴＬタブ４１４を選択すると電源オンオフ（ＨＥＡＤ  ＰＯＷＥＲ）ボタン４１０が表示される態様を例示した。
【００９８】
操作者は、ＥＳＣ  ＣＴＬタブ４１４を押して液晶表示部２２に電源オンオフボタン４１０を表示させ、この電源オンオフボタン４１０を操作すると、リモコン雲台１４の電源のオンオフを遠隔操作することができる。また、リモコン雲台１４の電源オンオフ状態はボタン表示部４１２の表示内容によって一目で把握することができる。
【００９９】
ネットワーク１２を介して雲台コントローラ２０により遠隔操作されるリモコン雲台１４及びシステムコントローラは、特定の人間のみの立ち入りが許可されるセキュリティエリアや、人間が立ち入ることが難しい場所に設置されることがあり、２４時間３６５日無停止で通電させておくことが通常である。しかし、撮影に使用されるのは一日のうち限られた時間であることが多く、かかる観点から、撮影に使用される時間に限り電源をオンとして、撮影以外の時間においては電源オフとすることが好ましい。
【０１００】
かかる応用例４によれば、撮影時間以外の映像が必要でない時間はリモコン雲台１４の電源を容易に落とすことができ、また、必要に応じて電源を入れることができるので、リモコン雲台１４の省電力化に寄与するとともに、リモコン雲台システム４００全体の省電力化にも寄与し、省電力及びエコロジーの観点からも好ましいシステムといえる。
【０１０１】
上記の実施形態では、ネットワークを介して接続される雲台コントローラによりテレビカメラが装着されるリモコン雲台の遠隔操作を可能にするリモコン雲台システムについて説明したが、本発明の目的を逸脱しない範囲において適宜変更が可能である。
【０１０２】
〔付記〕
上記に詳述した発明の実施形態についての記載から把握されるとおり、本明細書は少なくとも以下に示す発明を含む多様な技術思想の開示を含んでいる。
【０１０３】
（発明１）：リモコン雲台カメラ装置と通信接続可能に構成され、前記リモコン雲台カメラ装置を操作する操作装置であって、前記リモコン雲台カメラ装置の操作画面を表示する表示手段と、通信を確立したリモコン雲台カメラ装置に搭載されているカメラを識別するカメラ識別手段と、前記カメラ識別手段によって識別されたカメラに対応して前記操作画面の内容を変更するように前記表示手段を制御する表示制御手段と、を備えたことを特徴とする操作装置。
【０１０４】
本発明によれば、通信接続されたリモコン雲台カメラ装置に搭載されるカメラを識別し、該カメラに対応する操作画面を表示するように構成されるので、操作装置の操作者は表示手段の表示内容に基づき、通信接続されたリモコン雲台カメラ装置に搭載されるカメラを把握することができるとともに、該カメラに適した操作を行うことができる。
【０１０５】
通信接続の一例として、通信装置及び通信回線を介して通信を行う態様が挙げられる。また、通信回線は公衆回線網、電話回線網、ＬＡＮなどがある。
【０１０６】
操作画面は、カメラを操作（制御）するための操作部が設けられ、該操作部を操作すると指令信号（コマンド）が送出される。
【０１０７】
（発明２）：発明１において、複数のリモコン雲台カメラ装置との通信接続を行う際に、通信接続先を切り換える通信切換手段を備えたことを特徴とする。
【０１０８】
かかる態様によれば、複数のリモコン雲台カメラ装置と通信接続される場合において、通信接続先が切り換えられると接続先に対応して操作画面が切り換えられるので、接続先のカメラを確実に把握できるとともに、該カメラに適した操作が可能となる。
【０１０９】
複数のリモコン雲台カメラ装置と通信接続する態様には、通信回線を介して通信を行う態様がある。また、通信回線との接続は通信装置を介して行う態様がある。
【０１１０】
かかる態様において、通信接続可能なリモコン雲台カメラ装置を予め登録しておく登録手段を備える態様が好ましい。
【０１１１】
（発明３）：発明１又は２において、前記カメラ識別手段は、前記リモコン雲台カメラ装置との通信接続が確立されると前記リモコン雲台カメラ装置から送出されるカメラ情報を取得することを特徴とする。
【０１１２】
かかる態様によれば、リモコン雲台カメラ装置から送られるカメラ識別信号を用いてカメラの種類を識別するので、正確かつ確実にカメラが識別される。
【０１１３】
（発明４）：発明１乃至３のいずれかにおいて、前記表示制御手段は、前記カメラ識別手段によって識別されたカメラ名を含むカメラの情報を表示するように前記表示手段を制御することを特徴とする。
【０１１４】
かかる態様によれば、カメラ名を表示することで、操作者が操作画面を見て接続先のカメラを把握することができ、例えば、当該カメラ専用の操作ソフトウエアを立ち上げることが可能である。
【０１１５】
かかる態様におけるカメラの情報は、カメラの型式、仕様などの情報を含んでいてもよい。
【０１１６】
（発明５）：発明１乃至４のいずれかにおいて、前記表示制御手段は、前記カメラ識別手段によって識別されたカメラに装着されているレンズの情報を表示するように前記表示装置を制御することを特徴とする。
【０１１７】
かかる態様によれば、レンズの情報を表示することで、操作者は接続先のレンズを把握することができ、例えば、レンズの操作項目を制限するなどの操作が可能となる
（発明６）：発明５において、前記レンズの情報は、前記レンズの機能に沿った情報を含むことを特徴とする。
【０１１８】
かかる態様によれば、レンズの機種や機能を把握することができ、倍率、明るさ、防振機能の有無などに応じた的確な操作を行うことが可能となる。
【０１１９】
（発明７）：発明１乃至６のいずれかにおいて、前記表示制御手段は、前記認識手段によって認識されたカメラのそれぞれに個別の操作画面を表示するように前記表示手段を制御することを特徴とする。
【０１２０】
かかる態様によれば、通信接続先の切り換えに応じて操作画面が切り換わるので、操作者が通信接続先ごと（カメラごと）に操作を記憶する必要がなく、通信接続先のカメラに適した操作が可能である。
【０１２１】
（発明８）：発明１乃至７のいずれかにおいて、通信接続可能なリモコン雲台カメラ装置に搭載される複数のカメラに対応した操作画面が前記カメラに関連付けされて記憶される記憶手段を備え、前記表示制御手段は、識別されたカメラに対応する操作画面を前記記憶手段から読み出して表示するように前記表示手段を制御することを特徴とする。
【０１２２】
かかる態様において、通信接続可能なリモコン雲台カメラ装置及びカメラ、レンズを予め登録しておく登録手段を備える態様が好ましい。
【図面の簡単な説明】
【０１２３】
【図１】本発明の実施形態に係るリモコン雲台システムの全体構成図
【図２】図１に示す雲台コントローラの操作面の構成を示す平面図
【図３】図１に示す雲台コントローラの全体構成を示すブロック図
【図４】図２に示す液晶表示部のレイアウトを説明する図
【図５】図４に示すカメラ表示部の他の表示例を説明する図
【図６】本発明の応用例１に係る液晶表示部のレイアウトを説明する図
【図７】他のリモコン雲台カメラ装置に通信先を切り換えたときの液晶表示部のレイアウトを説明する図
【図８】さらに他のリモコン雲台カメラ装置に通信先を切り換えたときの液晶表示部のレイアウトを説明する図
【図９】本発明の応用例１に係るリモコン雲台システムの全体構成図
【図１０】図９に示す液晶表示部の表示を説明する図
【図１１】リモコン雲台カメラ装置との通信を確立したときの液晶表示部の表示を説明する図
【図１２】操作禁止中の液晶表示部の表示を説明する図
【図１３】リモコン雲台カメラ装置との通信を遮断したときの液晶表示部の表示を説明する図
【図１４】本発明の応用例２に係るオプションボタンの説明図
【図１５】接続先とオプションボタンの機能との関係を示す図
【図１６】本発明の応用例２に係るオプションボタンの表示例
【図１７】本発明の応用例３に係る液晶表示部の表示を説明する図
【図１８】本発明の応用例３に係る液晶表示部の他の表示例を説明する図
【図１９】本発明の応用例４に係るリモコン雲台システムの概略構成図
【図２０】図１９に示す液晶表示部のレイアウトを説明する図
【符号の説明】
【０１２４】
１０，１００…リモコン雲台システム、１２…ネットワーク、１４…リモコン雲台、２０…操作装置、２２…液晶表示部、５０…ＣＰＵ、５６…表示部、５８…タッチパネル、６０…メモリ、６１，１００，１０２，１０４、２００，３００，３２０…操作画面、６６…操作ボタン、６８…ボタン表示部
【図１】
2010124074.tif 000003
【図２】
2010124074.tif 000004
【図３】
2010124074.tif 000005
【図４】
2010124074.tif 000006
【図５】
2010124074.tif 000007
【図６】
2010124074.tif 000008
【図７】
2010124074.tif 000009
【図８】
2010124074.tif 000010
【図９】
2010124074.tif 000011
【図１０】
2010124074.tif 000012
【図１１】
2010124074.tif 000013
【図１２】
2010124074.tif 000014
【図１３】
2010124074.tif 000015
【図１４】
2010124074.tif 000016
【図１５】
2010124074.tif 000017
【図１６】
2010124074.tif 000018
【図１７】
2010124074.tif 000019
【図１８】
2010124074.tif 000020
【図１９】
2010124074.tif 000021
【図２０】
2010124074.tif 000022